(57)【要約】      （修正有）【課題】運搬性や収納性に優れ、かつ簡易な構成で必要な長さの脚部材を有するハンガーを提供する。【解決手段】衣服を吊り下げるための棒状の支持部材１０と、この支持部材を水平状態に載置面に対して保持するために、支持部材の長手方向両端部に設けられる棒状の脚部材１１〜１４と、を備え、脚部材は、少なくとも、長手方向の中間部分において第１脚部材部分１１ａと第２脚部材部分１１ｂに分割されて構成されており、第１脚部材部分に形成された第１段差部と、第２脚部材部分に形成された第２段差部を結合することで一体化されている。【選択図】図１
0003196183.tif 000002
【実用新案登録請求の範囲】
【請求項１】
衣服を吊り下げるための棒状の支持部材と、
この支持部材を水平状態に載置面に対して保持するために、支持部材の長手方向両端部に設けられる棒状の脚部材と、を備え、
前記脚部材は、少なくとも、長手方向の中間部分において第１脚部材部分と第２脚部材部分に分割されて構成されており、第１脚部材部分に形成された第１段差部と、第２脚部材部分に形成された第２段差部を結合することで一体化されていることを特徴とするハンガー。
【請求項２】
前記脚部材は木製であることを特徴とする請求項１に記載のハンガー。
【請求項３】
前記脚部材は、前記支持部材の長手方向両端部にそれぞれ一対設けられており、かつ、各両端部において、一対の脚部材同士の載置面側が所定の角度開いた状態で取り付けられることを特徴とする請求項１又は２に記載のハンガー。
【請求項４】
前記載置面側に台座が前記脚部材に対して着脱可能に取り付けられており、これにより、前記所定の角度が固定されることを特徴とする請求項３に記載のハンガー。
【請求項５】
前記脚部材は、前記支持部材の長手方向両端部にそれぞれ１つずつ設けられており、脚部材の載置面側に台座が取り付けられていることを特徴とする請求項１又は２に記載のハンガー。
【請求項６】
前記第１脚部材部分と第２脚部材部分は表面が面一になるように結合されることを特徴とする請求項１〜５のいずれか１項に記載のハンガー。
【考案の詳細な説明】
【技術分野】
【０００１】
本考案は、衣服を吊り下げるための棒状の支持部材と、この支持部材を水平状態に載置面に対して保持するために、支持部材の長手方向両端部に設けられる棒状の脚部材と、を備えたハンガーに関する。
【背景技術】
【０００２】
かかるハンガーは、棒状の支持部材に衣服を掛けた小型ハンガーを吊るすことで、簡易に使用することができ、設置場所にも融通性があり便利である（例えば、下記非特許文献）。
【０００３】
上記の文献に開示される木製コートハンガーは、衣服を吊り下げるための棒状の支持部材と、この支持部材を水平状態に載置面に対して保持するために、支持部材の長手方向両端部に設けられる棒状の脚部材を備えている。この棒状の脚部材は単一の部材により構成されている。
【先行技術文献】
【非特許文献】
【０００４】
【非特許文献１】ＹＡＨＯＯ  ＪＡＰＡＮ  ショッピングウェブサイト（生活雑貨と日用品のオンライン通販）の木製コートハンガー：２０１４年１２月１日検索<URL:http://store.shopping.yahoo.co.jp/life-shower/ir-uha-600.html?sc_e=sydr_sspd>
【考案の概要】
【考案が解決しようとする課題】
【０００５】
しかしながら、脚部材を単一の部材で構成すると、長さが長くなり、運搬するときや収納するとき等において不便である。
【０００６】
本考案は、かかる課題を解決するためになされたものであり、その目的は、運搬性や収納性を改善したハンガーを提供することである。
【課題を解決するための手段】
【０００７】
上記課題を解決するため本考案に係るハンガーは、
衣服を吊り下げるための棒状の支持部材と、この支持部材を水平状態に載置面に対して保持するために、支持部材の長手方向両端部に設けられる棒状の脚部材と、を備え、
前記脚部材は、少なくとも、長手方向の中間部分において第１脚部材部分と第２脚部材部分に分割されて構成されており、第１脚部材部分に形成された第１段差部と、第２脚部材部分に形成された第２段差部を結合することで一体化されていることを特徴とするものである。
【０００８】
かかる構成によるハンガーの作用・効果は以下の通りである。まず、支持部材の長手方向両端部に棒状の脚部材が設けられる。この脚部材は１つの部品ではなく、少なくとも、第１脚部材部分と第２脚部材部分に分割される。そして、これら第１・第２脚部材部分には第１・第２段差部が形成されており、これら段差部を互いに結合することで、一体化された脚部材とすることができる。脚部材部分に段差部を形成すればよいので、簡素な構成とすることができる。また、ハンガーを運搬したり収納したりする時は、段差部の結合を解除すればよい。その結果、簡易な構成で運搬性や収納性を改善したハンガーを提供することができる。
【０００９】
本考案において、前記脚部材は木製であることが好ましい。木製にすることで、段差部の加工も容易であり安価に脚部材を構成することができる。
【００１０】
本考案に係る前記脚部材は、前記支持部材の長手方向両端部にそれぞれ一対設けられており、かつ、各両端部において、一対の脚部材同士の載置面側が所定の角度開いた状態で取り付けられることが好ましい。
【００１１】
長手方向両端部にそれぞれ一対の脚部材を設け、脚部材同士の載置面側が所定の角度開いた状態にすることで、安定した状態でハンガーを載置面に載置することができる。
【００１２】
本考案において、前記載置面側に台座が前記脚部材に対して着脱可能に取り付けられており、これにより、前記所定の角度が固定されることが好ましい。
【００１３】
かかる台座を設けることで、台座に荷物を置いたりすることができ、脚部材を安定して保持することができると共に、付加的な機能を設けることができる。また、運搬時や収納時あるいはハンガーを使用しない時に台座を取り外すことで、コンパクトにすることができる。
【００１４】
本考案にかかる前記脚部材は、前記支持部材の長手方向両端部にそれぞれ１つずつ設けられており、脚部材の載置面側に台座が取り付けられていることが好ましい。
【００１５】
かかる構成により、支持部材の両端部に１つずつの脚部材を設けた場合であっても、ハンガーを安定した状態で載置面に載置することができる。また、前述のように、台座により付加的な機能を設けることができる。
【００１６】
本考案において、前記第１脚部材部分と第２脚部材部分は表面が面一になるように結合されることが好ましい。かかる構成により、見栄えのよい脚部材とすることができる。
【図面の簡単な説明】
【００１７】
【図１】ハンガーの全体構成を示す外観斜視図
【図２】主要部の部分拡大図
【図３】脚部材の構成を示す分解図
【図４】ハンガーの別実施形態を示す外観斜視図
【考案を実施するための形態】
【００１８】
本考案に係るハンガーの好適な実施形態を図面を用いて説明する。図１は、ハンガーの全体構成を示す外観斜視図であり、図２は、その主要部の構成を示す部分拡大図である。図３は、本考案の特徴である脚部材の構成を示す分解図である。
【００１９】
図１に示すように、ハンガー１は、水平状態に支持される支持部材１０と、この支持部材１０の長手方向両端部に設けられる脚部材１１，１２，１３，１４を備える。長手方向両端部に、それぞれ、一対の脚部材１１，１２，１３，１４が設けられる。
【００２０】
支持部材１０は、断面円形の棒状に形成され、小型ハンガーＡに吊るされた衣服Ｂを吊り下げることができる。支持部材１０の断面形状は円形であるが、これに限定されるものではなく、長方形、正方形等の適宜の断面形状を採用することができる。
【００２１】
図１には、全部で４つの脚部材１１〜１４が示されるが、基本形状は共通するので、脚部材１１について中心に説明する。脚部材１１，１２は、その上端部が、支持部材１０に取り付けられる。脚部材１１は、２つの第１脚部材部分１１ａ、第２脚部材部分１１ｂに分割されている。図２に示すように、それぞれ、第１段差部１１ｃと第２段差部１１ｄが形成されており、ネジ（ボルト１６ａとナット１６ｂ）により連結される。第１段差部１１ｃと第２段差部１１ｄには、それぞれ結合のためのネジ穴１１ｃ１，１１ｄ１が形成される。図２に示すように結合状態では、第１脚部材部分１１ｃと第２脚部材部分１１ｄは、面一になっているので、表面全体が連続した形で結合され、見栄えもよい。
【００２２】
第１脚部材部分１１ｃの第１段差部１１ｃとは反対側の端部には、支持部材１０と結合するための穴１１ｅが形成される。また、穴１１ｅの周囲の形状は円弧状に形成される。第２脚部材部分１１ｂの第２段差部１１ｄとは反対側の端部には、後述する台座１５を結合するための穴１１ｆが形成される。
【００２３】
図１に示すように、脚部材１１〜１４の載置面側に台座１５が設けられる。台座１５の上には、適宜の物を載置することができ衣服を吊るす以外の付加的な機能を持たせることができる。台座支持バー１８がネジ等の固定手段により脚部材１１〜１４の載置面側に結合され、その上に台座１５が載置される。
【００２４】
この台座１５を設けることで、脚部材１１と１２の開き角度、脚部材１３と１４の開き角度が固定される。開き角度の大きさは適宜決めることができる。かかる構成により、ハンガー１を載置面に対して安定した状態で載置することができる。
【００２５】
台座１５の大きさは、適宜の大きさのものを採用することができ、台座１５自身は１つの部品で構成しなくてもよく、複数の部品を組み合わせて構成してもよい。
【００２６】
この台座１５は、脚部材１１〜１４に固定された台座支持バー１８の上に着脱自在に取り付けられる。これにより、運搬時や収納時には、コンパクトにすることができる。ハンガーを使用しない時は、台座１５だけを外すことで、脚部材１１〜１４を折りたためば、やはりコンパクトになり場所を取らないので便利になる。
【００２７】
なお、前述したように、脚部材１１〜１４の載置面側の端部が円弧状に形成されているので、載置面を傷つけたりすることがない。
【００２８】
本考案に係るハンガー１を構成する部材、支持部材１０、脚部材１１〜１４、台座１５は、木材で形成させることができる。なお、木製ではなく樹脂製にしてもよい。また、支持部材１０については、金属製にしてもよい。
【００２９】
本考案に係るハンガー１は、脚部材１１が第１脚部材部分１１ａと第２脚部材部分１１ｂの２つの部品で構成されているので、運搬するときや収納するときは、長さを短い状態にすることができるので、大きなスペースを必要とせず便利である。
【００３０】
なお、脚部材１１〜１４の断面形状は、本実施形態では長方形になっているが、円形や正方形等の他の断面形状であってもよい。また、本実施形態では、脚部材１１〜１４を２つの脚部材部分に分割しているが、３つ以上に分割してもよい。さらに、２つに分割する場合、脚部材のどの箇所で分割するかは、適宜決めることができる。ただし、ちょうど真ん中で分割すれば、同一の部品とすることもでき、部品管理の面で簡素化する。
【００３１】
＜別実施形態のハンガー＞
図４は、別実施形態に係るハンガー１の構成を示す外観斜視図である。この実施形態では、支持部材１０の長手方向両端部に１つずつ脚部材１１が設けられ、それぞれ第１脚部材部分１１ａと第２脚部材部分１１ｂに分割される。また、第２脚部材部分１１ｂには支持軸１１０が設けられ、ここに別の脚部材２０が取り付けられる。そして、一対の脚部材２０の上端部には、第２支持部材１７が取り付けられる。すなわち、この実施形態では、支持部材１０，１７が２つ設けられるので、より多くの衣服等を吊るすことが可能である。
【００３２】
脚部材１１と脚部材２０の載置面側には、第１実施形態と同様に台座１５が取り付けられる。これにより、脚部材１１と脚部材２０の開き角度が固定されるので、安定した状態でハンガー１を載置面に対して載置することができる。
【００３３】
脚部材２０も脚部材１１と同様に、第１脚部材部分２０ａと第２脚部材部分２０ｂに分割されており、それぞれ第１段差部２０ｃと第２段差部２０ｄが形成される。これら第１段差部２０ｃと第２段差部２０ｄを結合することで、一体化された脚部材２０とすることができる。
【００３４】
この実施形態では、第２脚部材部分１１ｂに支持軸１１０が設けられているが、第１脚部材部分１１ａに支持軸を設けるようにしてもよい。
【符号の説明】
【００３５】
１          ハンガー
１０        支持部材
１１〜１４  脚部材
１１ａ      第１脚部材部分
１１ｂ      第２脚部材部分
１１ｃ      第１段差部
１１ｄ      第２段差部
１５        台座
１６ａ      ボルト
１６ｂ      ナット
１７        第２支持部材
２０        脚部材
【図１】
0003196183.tif 000003
【図２】
0003196183.tif 000004
【図３】
0003196183.tif 000005
【図４】
0003196183.tif 000006